(57)【特許請求の範囲】
【請求項１】
原稿を読み取る読取部を備え、ネットワークを介して読み取ったデータを送信した送信終了後に、送信先にデータが送達されたか否かを、送信先から送達確認応答を受信することにより確認する送達確認応答機能を有するネットワーク通信装置において、
上記データ送信に用いるための送信情報を、上記データの送信毎に入力可能な入力手段を備え、
上記送信情報は、上記送達確認応答の要否についての情報と、送信するデータのファイル形式としてＰＤＦを含む複数のファイル形式の中から選択された１つのファイル形式とを含んでおり、
かつ、ＰＤＦによる送信に送達確認応答要否の指定が可能であることを特徴とするネットワーク通信装置。
【請求項２】
各送信先についての上記送信情報を記憶する記憶手段を備えることを特徴とする請求項１に記載のネットワーク通信装置。
【請求項３】
上記送信情報は、上記送達確認応答の受信を待機する最大限の時間である送達確認待ち時間を含むことを特徴とする請求項１又は２に記載のネットワーク通信装置。
【請求項４】
上記送信情報は、送信するデータの圧縮形式を含むことを特徴とする請求項１又は２に記載のネットワーク通信装置。
【請求項５】
上記記憶手段への上記送信情報の記憶は、上記送信先を示すアドレスまたは番号を、対応させる短縮番号に登録するときに行われることを特徴とする請求項２に記載のネットワーク通信装置。
【請求項６】
上記送信情報は、上記送達確認応答の受信を待機する最大限の時間である送達確認待ち時間を含み、
該送達確認待ち時間が経過しても上記送達確認応答の受信がないときには、上記記憶手段において、送信先への上記送達確認応答の要求は不要であることを記憶することを特徴とする請求項２又は５に記載のネットワーク通信装置。
【請求項７】
上記送信情報は、上記送達確認応答の受信を待機する最大限の時間である送達確認待ち時間を含み、
該送達確認待ち時間が経過しても上記送達確認応答の受信がないデータ送信が所定回数以上連続したときには、上記記憶手段において、送信先への上記送達確認応答の要求は不要であることを設定することを特徴とする請求項２又は５に記載のネットワーク通信装置。
【請求項８】
上記送信先への上記送達確認応答の要求は不要であると、上記記憶手段において設定したことを、ユーザーに告知する告知手段を備えることを特徴とする請求項６又は７に記載のネットワーク通信装置。
【請求項９】
上記送達確認応答において、送信された上記データが上記送信先端末で正常に受信できなかったとの応答があったとき、上記データの再送を行い、該再送回数は、上記記憶手段に登録可能であることを特徴とする請求項２、５ないし８のいずれか１項に記載のネットワーク通信装置。
【請求項１０】
複数のファイル形式の中にＴＩＦＦが含まれていることを特徴とする請求項１ないし９のいずれか１項に記載のネットワーク通信装置。
【請求項１１】
ネットワークを介してデータの送受信を行うネットワークファクシミリ装置としての機能を有するネットワーク通信装置であって、
送信先にデータが送達されたか否かを、送信先から送達確認応答を受信することにより確認する送達確認応答機能を有し、
上記データの送信毎に、ＴＩＦＦとＰＤＦとを含む複数のファイル形式の中からの送信するデータのファイル形式の選択と、送達確認応答の要否の設定とが可能であり、
かつ、ＰＤＦによる送信に送達確認応答要否の指定も可能であることを特徴とするネットワーク通信装置。
【発明の詳細な説明】
【０００１】
【発明の属する技術分野】
本発明は、ネットワークを介して電子メールを送受信するネットワーク通信装置に関するものである。
【０００２】
【従来の技術】
近年、ネットワーク化の進展に伴い、インターネットなどのネットワークを介して電子メール（Ｅ−ｍａｉｌ）を送受信するネットワーク通信装置が種々の用途に用いられるようになっている。
【０００３】
例えば、スキャナ機能を備え、単に画像読み取りデバイスとして用いることができるだけでなく、読み取った画像情報をネットワーク接続されたコンピュータなどの装置へ送信することのできるネットワーク通信装置も開発されている。
【０００４】
また、スキャナ機能に加えて、さらに印刷機能や電話機能をも備えた、ネットワークファクシミリ装置も開発されている。
【０００５】
このようなネットワークファクシミリ装置としてのインターネットＦＡＸは、電話回線を通じてインターネットプロバイダに接続し、インターネットプロバイダのホストよりインターネットに接続するか、あるいは直接インターネットに接続する。そして、送信側および受信側のインターネットＦＡＸが共にインターネットに接続されている状態で、電子メールの送受信をする。
【０００６】
ここで、上記のように電子メールを用いて情報を送信する場合には、例えば通常のファクシミリで情報を送信する場合とは異なり、受信側において正常に受信されたかどうか、または受信側において処理が適切になされたかどうかが、送信側においては判別できないという問題があった。
【０００７】
即ち、ＰＳＴＮ（公衆電話網）を介して互いにリアルタイムでファクシミリ通信を行うＧ３ファクシミリなどを用いる場合とは異なり、送信側端末から受信側端末宛に電子メールを送信すると、送信側端末から電子メールを送信した時点では、受信側端末において電子メールを正常に受信できたか、また適切に処理されたかなどについて、送信側端末で認識することはできない。
【０００８】
このため、従来、電子メールによる送達の確認を行うために、結局電話による確認などが行われていた。
【０００９】
しかしながら、このように、電子メールで情報を送信しても、その後電話で送達確認を行うのでは、手間がかかる。また、電話をしていたのでは、電話と異なり互いにリアルタイムで対話をする必要がないというような、電子メールによる通信の利点が損なわれることとなる。
【００１０】
そこで、電子メールを受信した場合に、受信側端末が送達確認の応答を送信側端末に返信することによって送達確認を行う方法として、ＲＦＣ２２９８ではＭＤＮ（Message Disposition Notification）の方法が規定されている。
【００１１】
ここで、ＲＦＣ（Request For Comment）とは、インターネットに関する技術の標準を定める団体であるＩＥＴＦ（Internet Engineering Task Force）が正式に発行する文書をさす。
【００１２】
ＲＦＣとしては、例えば、ＩＰ（internet protocol）、ＴＣＰ（transmission control protocol）、ＨＴＴＰ（hypertext transfer protocol）、ＦＴＰ（file transfer protocol）などインターネットで利用されるプロトコルや、その他インターネットに関わるさまざまな技術の仕様・要件などが、上記ＲＦＣ２２９８のように通し番号をつけて公開されている。
【００１３】
このＭＤＮ機能を備えたインターネットＦＡＸ（ネットワーク通信装置）が、特開２００１−３０９１０９号公報に記載されている。このインターネットＦＡＸは、電子メールを送信したとき、送信終了後、一定時間経過しても受信側よりＭＤＮ応答の電子メールが送られてこない時には、ユーザーにＭＤＮ応答（送達確認応答）が送られてこないことを告知するための不達レポートを記録出力する。
【００１４】
これにより、受信側端末に正常に送信が行われたか否かを確認することができる。
【００１５】
【発明が解決しようとする課題】
しかしながら、上記ＭＤＮ機能については、ネットワーク通信装置がネットワークを介して通信を行う上で最低限備えることが義務付けられている機能ではない。このため、受信側端末がＭＤＮ機能を備えているとは限らない。
【００１６】
従って、上記公報に記載のインターネットＦＡＸのように、通信を行う度にＭＤＮ応答を要求する構成では、受信側端末がＭＤＮ機能を備えていない場合には、受信側端末に電子メールが送達されていても、ＭＤＮ応答を受信することはないため、無駄なＭＤＮ応答待ちが発生することとなる。
【００１７】
また、たとえ受信側端末に電子メールが送達されていても、受信側端末がＭＤＮ機能を備えていなければ、送信側端末では不達レポートを記録出力することとなるため、無駄にレポートを記録出力することとなる。
【００１８】
本発明は、上記従来の問題点に鑑みてなされたものであり、その目的は、無駄な送達確認応答待ちや不達レポートの記録出力の防止を図ることができるネットワーク通信装置を提供することにある。
【００１９】
【課題を解決するための手段】
本発明のネットワーク通信装置は、上記の課題を解決するために、ネットワークを介したデータの送信終了後に、送信先にデータが送達されたか否かを、送信先から送達確認応答を受信することにより確認する送達確認応答機能を有するネットワーク通信装置において、上記データ送信に用いるための、送信先についての送信情報を、上記データの送信時に入力する入力手段を備え、上記送信情報は、上記送達確認応答の要否についての情報を含むことを特徴としている。
【００２０】
通常、送達確認応答機能（ＭＤＮ機能）は、ネットワーク通信装置がネットワークを介して通信を行う上で最低限備えることが義務付けられている機能ではない。このため、送信先のネットワーク通信装置は、ＭＤＮ機能を備えているとは限らない。
【００２１】
しかしながら、上記の構成によれば、送達確認応答の要否を含んだ送信情報をデータ送信時に入力するため、送信先のネットワーク通信装置がＭＤＮ機能を備えていない場合には、送達確認応答の要求は不要であると入力することができる。
【００２２】
これにより、無駄な送達確認応答待ちや不達レポートの記録出力の防止を図ることができる。また、送信したデータが送信先に送達できているにもかかわらず、送信先にＭＤＮ機能がないためにデータが送信先に送達できなかったとして、同じデータの再送を防止することができる。
【００２３】
本発明のネットワーク通信装置は、上記の課題を解決するために、ネットワークを介したデータの送信終了後に、送信先にデータが送達されたか否かを、送信先から送達確認応答を受信することにより確認する送達確認応答機能を有するネットワーク通信装置において、上記データ送信に用いるための、各送信先についての送信情報を記憶する記憶手段を備え、上記送信情報は、上記送達確認応答の要否についての情報を含むことを特徴としている。
【００２４】
上記の構成によれば、送達確認応答の要否を含んだ送信情報が記憶手段に記憶されているため、送信先のネットワーク通信装置がＭＤＮ機能を備えていない場合には、送達確認応答の要求は不要であると予め登録することができる。
【００２５】
これにより、無駄な送達確認応答待ちや不達レポートの記録出力の防止を図ることができる。また、送信したデータが送信先に送達できているにもかかわらず、送信先にＭＤＮ機能がないためにデータが送信先に送達できなかったとして、同じデータを再送することを防止することができる。
【００２６】
また、記憶手段を備えていることにより、データを送信する度に送信情報を入力するユーザーの入力作業を軽減することができる。
【００２７】
上記のネットワーク通信装置は、送信情報が、送達確認応答の受信を待機する最大限の時間である送達確認待ち時間を含むことが好ましい。
【００２８】
上記の構成によれば、送信先に応じて送達確認待ち時間（タイムアウト時間）を設定することができる。
【００２９】
従って、送信先のメールサーバーとの接続状態に応じた送達確認待ち時間の設定が可能となり、例えば、送達確認待ち時間の設定を適切に行うことができる。
【００３０】
上記のネットワーク通信装置は、送信情報が、少なくとも、送信するデータのファイル形式または圧縮形式のいずれかを含むことが好ましい。
【００３１】
上記の構成によれば、ファイル形式（例えばＴＩＦＦ、ＰＤＦ）や圧縮形式（例えばＭＨ、ＭＭＲ）を送信情報として送信時に入力あるいは記憶手段に登録することにより、簡単にデータの送信を行うことができる。
【００３２】
上記のネットワーク通信装置は、記憶手段への送信情報の記憶が、送信先を示すアドレスまたは番号を、記憶手段において対応させる短縮番号に登録するときに行われることが好ましい。
【００３３】
上記の構成によれば、短縮番号登録と同時に記憶手段への送信情報の記憶を行うことにより、予め送信情報を登録することができ、ユーザーの入力作業を軽減することができる。
【００３４】
上記のネットワーク通信装置は、送信情報が、送達確認応答の受信を待機する最大限の時間である送達確認待ち時間を含み、該送達確認待ち時間が経過しても送達確認応答の受信がないときには、記憶手段において、送信先への送達確認応答の要求は不要であることを記憶することが好ましい。
【００３５】
通常、送信先（受信側端末）がＭＤＮ機能を備えているか否か不明である場合、ＭＤＮ機能を備えているものとしてデータを送信するが、送達確認待ち時間が経過しても送達確認応答の受信がない場合、送信先がＭＤＮ機能を備えていない可能性が高い。
【００３６】
そこで、上記の構成によれば、送達確認待ち時間が経過しても送達確認応答の受信がないときには、記憶手段において、送信先への送達確認応答の要求は不要であることを記憶（設定）することにより、次回から、無駄な送達確認応答待ちの発生を防止することができる。
【００３７】
上記のネットワーク通信装置は、送信情報が、送達確認応答の受信を待機する最大限の時間である送達確認待ち時間を含み、該送達確認待ち時間が経過しても送達確認応答の受信がないデータ送信が所定回数以上連続したときには、記憶手段において、送信先への送達確認応答の要求は不要であることを設定することが好ましい。
【００３８】
通常、送達確認待ち時間が経過しても送達確認応答の受信がないことが連続する場合、送信先がＭＤＮ機能を備えていない可能性が高い。
【００３９】
そこで、上記の構成によれば、送達確認待ち時間が経過しても送達確認応答の受信がないデータ送信が所定回数以上連続したときには、記憶手段において、送信先への送達確認応答の要求は不要であることを設定することにより、次回から、無駄な送達確認応答待ちの発生を防止することができる。
【００４０】
上記のネットワーク通信装置は、送信先への送達確認応答の要求は不要であると、記憶手段において設定したことを、ユーザーに告知する告知手段を備えることが好ましい。
【００４１】
上記の構成によれば、送信先がＭＤＮ機能を備えていない可能性が高いため、送達確認の要求を不要に設定したことを、ユーザーに知らせることができる。
【００４２】
上記のネットワーク通信装置は、送達確認応答において、送信されたデータが送信先端末で正常に受信できなかったとの応答があったとき、データの再送を行い、該再送回数は、記憶手段に登録可能であることが好ましい。
【００４３】
上記の構成によれば、送信元、即ち送信側端末から送信されたデータが送信先端末で完全に受信されなかった場合に（送達確認応答において、送信されたデータが送信先端末で正常に受信できなかったとの応答があったとき）、記憶手段に登録された回数、データの再送を行うことができる。従って、送信先端末が送信先に応じて、適切にデータの再送を行うことができる。
【００４４】
本発明のネットワーク通信装置は、上記の課題を解決するために、ネットワークを介してデータの送受信を行うネットワークファクシミリ装置としての機能を有し、上記データの送信するときに、送達確認応答要求が可能なネットワーク通信装置であって、送信先に応じて、上記送達確認応答の要否が設定可能であることを特徴としている。
【００４５】
上記の構成によれば、送信先に応じて送達確認応答要求の要否が設定可能であることにより、送信先のネットワーク通信装置がＭＤＮ機能を備えていない場合には、送達確認応答の要求は不要であると設定することができる。
【００４６】
従って、無駄な送達確認応答待ちや不達レポートの記録出力の防止を図ることができる。また、送信したデータが送信先に送達できているにもかかわらず、送信先にＭＤＮ機能がないためにデータが送信先に送達できなかったとして、同じデータの再送を防止することができる。
【００４７】
【発明の実施の形態】
本発明の実施の一形態について図１ないし図１３に基づいて説明すれば、以下の通りである。
【００４８】
本実施の形態に係るネットワーク通信装置であるファクシミリ／電子メール装置は、データを記録媒体に印刷するプリンタ／コピーや、電話回線を利用した通常のファクシミリ（ＦＡＸ）としての機能の他に、インターネットなどのネットワークを経由して、電子メール（E−mail）の送受信やサーバーとファイルの送受信を行う電子メール（E−mail／ＦＴＰ（File Transfer Protocol））装置、およびインターネットファクシミリ（以下、インターネットＦＡＸと称する）装置としての機能を有する。インターネットファクシミリ装置（ネットワークファクシミリ装置）としての機能については、後に詳述する。
【００４９】
図１は、ファクシミリ／電子メール装置の構成を示すブロック図である。本ファクシミリ／電子メール装置は、メイン制御部１、パネル制御部（入力手段、告知手段）２、制御用メモリ３、制御用バッファ４、画像記憶部５、電子メール作成部７、読取部８、記録部９、符号／復号化制御部１１、ＬＡＮ（Local Area Network）制御部１２、モデム１３、網制御部（ＮＣＵ：Network Control Unit）１４、送達確認送受信制御部１５、時計部１６、およびジョブ管理部１７を備えている。
【００５０】
メイン制御部１は、ＣＰＵ（Central Processing Unit）などを備え、ファクシミリ／電子メール装置本体の制御を行うものである。
【００５１】
パネル制御部２は、原稿の読み込み、相手先入力などの指示を行うためのものである。パネル制御部２は、図示しない表示部および操作部を備え、画面を表示する。表示部は、液晶表示装置（ＬＣＤ：Liquid Crystal Display）やＣＲＴ（ブラウン管：Cathode Ray Tube）ディスプレイなどであり、動作状態や送信先などを表示する。操作部は、操作するために必要なキー（入力手段）を備えている。
【００５２】
本実施の形態のパネル制御部２は、表示装置および操作部を一体としたタッチパネル型となっており、その構成については後述する。パネル制御部２のタッチパネルからは、相手先の設定を行う。設定された相手先情報（送信先についての送信情報）は、制御用メモリ（記憶手段）３に格納される。
【００５３】
制御用メモリ３は、ＲＯＭ（Read Only Memory）などの、不揮発性のメモリやバックアップされた揮発性のメモリなどからなり、制御プログラムや相手先情報（送信先についての送信情報）が記憶されている。
【００５４】
制御用バッファ４は、ＲＡＭ（Random Access Memory）からなり、プログラムを動作させる上で必要なデータを格納する。
【００５５】
画像記憶部５は、符号化された画像データ（データ）を記憶するとともに、後述する読取部８から読み込んだデータ、または受信したデータ、復号化後のデータなどを記憶する。
【００５６】
再送回数カウント部６は、送信エラーにより電子メールを再送した場合において、その再送回数をカウントする。
【００５７】
電子メール作成部７は、符号化された画像データにヘッダ情報を付加し、電子メールのフォーマットに変換する。
【００５８】
読取部８は、原稿読み取り手段としての光電変換素子（ＣＣＤ；Charge Coupled Device）を利用したスキャナで、原稿を所定の解像度の原稿画像として読み取る。そして、読み取った結果、ドットイメージデータを出力する。
【００５９】
記録部９は、電子写真方式のプリンタ装置を備え、通信により受信した原稿等のデータをハードコピー（プリントアウト）する。
【００６０】
符号／復号化制御部１１は、読み込んだ原稿データの符号化または受信時の復号化を行う。即ち、符号／復号化制御部１１は、画像信号を符号化圧縮するとともに、符号化圧縮されている画像情報（データ）を元の画像信号に復号化する。符号／復号化制御部１１は、ファクシミリ通信で一般に使用されている、ＭＨ(Modified Huffman)、ＭＲ(Modified READ)およびＭＭＲ(Modified Modified READ)などの符号化方式を用いることができる。
【００６１】
ＬＡＮ制御部１２は、インターネット経由による電子メールの送受信通信およびインターネットファクシミリの通信を行うように、ＬＡＮ（Local Area Network）と接続するためのものである。
【００６２】
モデム１３は、通常のファクシミリ通信を行うためのものであり、ファクシミリ通信が可能なファクシミリモデムから構成されている。モデム１３は、網制御部１４を介して電話回線と接続されている。
【００６３】
網制御部１４は、電話回線と接続され、回線の制御を行う。網制御部１４は、アナログの公衆電話回線網（ＰＳＴＮ）との回線の閉結及び開放の動作を行うハードウェアであり、必要に応じてモデム１３を公衆電話回線網と接続する。
【００６４】
送達確認送受信制御部１５は、送達確認（送達確認応答）の要求、および受信した送達確認の結果の管理などを行うためのものである。送達確認送受信制御部１５は、上記電子メール作成部７の付加したヘッダ情報を用いて制御を行う。
【００６５】
時計部１６は、経過時間を計測するものであり、例えば、後述するタイムアウト時間などをカウントする。
【００６６】
ジョブ管理部１７は、後述する送信開始処理、送信処理、再送処理などにおけるジョブ状況を管理するものである。
【００６７】
次に、パネル制御部２の構成について図７に基づいて説明する。
【００６８】
同図に示すように、パネル制御部２は、操作部１００および表示部１０１を備えている。表示部１０１は、液晶表示パネルによって構成されており、数字や記号だけでなく画像が表示可能となっている。この表示部１０１はタッチパネルである。従って、入力操作が容易になり、操作部１００のキー配列が複雑になることがなく、この操作部１００の構成を簡素化することができる。
【００６９】
操作部１００は、ユーザーが本ファクシミリ／電子メール装置に対して設定や条件または処理動作などの指示を入力するためのものである。操作部１００は、テンキー１０２、クリアキー１０３、スタートキー１０４、全解除キー（ＣＡキー）１０５、モード選択キー１０７、およびジョブステータス表示キー１０６を備えている。
【００７０】
テンキー１０２…は、画像形成枚数や部数などを入力するためのものである。クリアキー１０３は、テンキー１０２から入力された情報などをクリアするためのものである。
【００７１】
スタートキー１０４は、記録媒体への画像出力動作を開始するためのキーである。全解除キー１０５は、設定された条件を全てクリアするためのキーである。
【００７２】
また、モード選択キー１０７は、例えば、インターネットを介して受信したデータなどを出力するプリンタとしてのプリンタモード、電話回線やインターネットを介して他の装置にデータを送信するＦＡＸとしてのファクシミリモード、および、記録媒体から読み取った画像データを別の記録媒体に印刷する複写機としての複写（コピー）モードなどに対応するキー（プリンタキー・ファックス／イメージ送信キー・コピーキー）を有する。ユーザーは、これらのキーの中からいずれかを選択することにより、本ファクシミリ／電子メール装置の機能を選択する。
【００７３】
ジョブステータス表示キー１０６は、現在の画像形成ジョブの状況（ジョブ状況）を選択表示するためのキーである。
【００７４】
以下、本ファクシミリ／電子メール装置におけるインターネットＦＡＸ装置（ネットワークファクシミリ装置）としての機能について説明する。
【００７５】
本ファクシミリ／電子メール装置は、インターネットＦＡＸ装置としてファクシミリ文書データ（データ、画像データ）を送信する場合、符号／復号化制御部１１において符号化されたファクシミリ文書データは、電子メール作成部７において、ヘッダ情報が付加され、電子メールのフォーマットに変換される。
【００７６】
即ち、インターネットＦＡＸ装置は、ファクシミリ文書データの送信先である電子メールアドレス（アドレス）にファクシミリ文書データを付加して電子メール化する。そして、電話回線を通じてインターネットプロバイダに接続し、インターネットプロバイダのホストよりインターネットに接続するか、または直接インターネットに接続して、ネットワーク上のメールサーバーにその電子メールを転送する。
【００７７】
そして、送信側（本ファクシミリ／電子メール装置、送信側端末）および受信側（インターネットに接続したもう一台のファクシミリ／電子メール装置、送信先端末、受信側端末）のインターネットＦＡＸ装置が共にインターネットに接続されている状態で、電子メールの送受信をする。
【００７８】
ここで、本ファクシミリ／電子メール装置は、配信成功後のメッセージの処理状況を通知するＭＤＮ（Message Disposition Notification）機能を有する。ＭＤＮ機能とは、電子メールを受信した場合に、受信側端末（受信側インターネットＦＡＸ装置）が送達確認の応答（送達確認応答）を送信側に返信することによって送達確認を行うことができる機能（送達確認応答機能）のことをいう。
【００７９】
そこで、本ファクシミリ／電子メール装置においては、電子メールのヘッダ部にＭＤＮフィールドを付加し、そのフィールドに確認メールを送付するアドレス（送信側端末のアドレスまたは番号）を記述し、送達確認要求（送達確認応答要求）を行う。即ち、電子メール作成部７において、送達確認送受信制御部１５が用いるためのＭＤＮフィールド（ヘッダ情報）を付加する。
【００８０】
次に、送信側インターネットＦＡＸ装置が、ファクシミリ文書データを電子メールとして、受信側インターネットＦＡＸ装置に送信する送信処理について、図２ないし図４に基づいて説明する。
【００８１】
図２に示すように、まず、送信側インターネットＦＡＸ装置（本ファクシミリ／電子メール装置）が、送信処理を開始すると（Ｓ１１）、インターネットに接続して、受信側インターネットＦＡＸ装置（送信先）に電子メールを送信する（Ｓ１２）。
【００８２】
そして、電子メールが正常に送信できていなければ（Ｓ１３でNO）、電子メールを再送する（Ｓ１４）。
【００８３】
一方、電子メールが正常に送信できており（Ｓ１３でYES）、かつ、送信側インターネットＦＡＸ装置において、送信先の受信側インターネットＦＡＸ装置について送達確認の設定が「無し」と登録されているものであれば（Ｓ１５でNO）、そこで、送信処理は終了する。
【００８４】
ここで、受信側インターネットＦＡＸ装置において、送達確認の設定の有無（要否）については、後述するように、送信先ごとに、制御用メモリ３の相手先情報に予め登録されている。また、送信先のアドレスまたは番号（送信情報）は、相手先情報に、短縮番号として登録されている。即ちユーザーが送信先のアドレスまたは番号に対応する短縮番号を入力することで、データの送信処理を開始することができる。
【００８５】
なお、送信先のアドレスまたは番号、送達確認の設定の有無、後述する再送処理の回数などの送信情報は、相手先情報として予め登録されるものに限定されるものではなく、データの送信時に、その都度直接入力することにより、設定してもかまわない。
【００８６】
また、電子メールが正常に送信できており（Ｓ１３でYES）、かつ、送信側インターネットＦＡＸ装置において、該送信先の受信側インターネットＦＡＸ装置について送達確認の設定が「有り」と登録されているものであれば（Ｓ１５でYES）、ＭＤＮ機能としての応答待ち（以下、応答待ちと称する）を開始、即ち時計部１６においてタイムアウト時間（送達確認待ち時間）のカウントを開始する（Ｓ１６）。
【００８７】
そして、受信側インターネットＦＡＸ装置からの送達確認の応答があり（Ｓ１７でYES）、その応答において、受信側インターネットＦＡＸ装置が電子メールを受信できた、即ち、応答結果がＯ．Ｋとあれば（Ｓ１９でYES）、そこで応答待ちは終了し（Ｓ２０）、送信処理は終了する。
【００８８】
ここで、上記応答は、タイムアウト時間（送達確認応答の受信を待機する最大限の時間）が経過するまでは待つこととする（Ｓ１７でNO、Ｓ１８でNO）。
【００８９】
また、応答があっても、その応答が、受信側インターネットＦＡＸ装置が電子メールを正常に受信（受信側インターネットＦＡＸ装置において、送信側インターネットＦＡＸ装置が送信した電子メールが完全に受信）できなかったとの応答であれば（Ｓ１９でNO）、図３に示すように、電子メールの再送処理を開始する（Ｓ３１）。
【００９０】
ここで、その再送処理が、相手先情報として予め設定された所定回数目でなければ（Ｓ３２でNO）、再送処理を実行して（Ｓ３４）、再び応答待ち（Ｓ１６）から繰り返す。
【００９１】
一方、その再送処理が予め設定された所定回数目である場合（Ｓ３２でYES）、ユーザーにパネル制御部２を介して、送信エラーを告知して（Ｓ３３）、応答待ちを終了して（Ｓ２０）、送信処理を終了する。
【００９２】
また、応答がないままタイムアウト時間が経過した（タイムアウトエラーが生じた）場合（Ｓ１８でYES）、図４に示すように、送信先である相手先情報として、送達確認の設定が「有り」と登録されている場合、即ち送信先が短縮ダイヤルとして登録されている場合（Ｓ４１でYES）、予め設定された所定回数目のタイムアウトエラーであれば（Ｓ４２でYES）、送達確認の設定を「無し」に変更（送達確認「有り」の設定を解除する）する（Ｓ４３）。
【００９３】
そして、タイムアウトエラーと送達確認の設定を「無し」に変更したこととを、ユーザーに、パネル制御部２を介して告知し（Ｓ４４）、応答待ちを終了して（Ｓ２０）、送信処理を終了する。
【００９４】
一方、送信先である相手先情報として、送達確認の設定が「無し」と登録されている場合（Ｓ４１でNO）、即ち送信先が短縮ダイヤルとして登録されておらず、送信先の電子メールアドレスを、パネル制御部２を介してユーザーが直接入力する場合、および、送達確認の設定が「有り」と登録されていても所定回数目のタイムアウトエラーではない場合（Ｓ４２でNO）、ユーザーに、パネル制御部２を介してタイムアウトエラーを告知した（Ｓ４５）後、応答待ちを終了して（Ｓ２０）、送信処理を終了する。
【００９５】
ここで、タイムアウトエラーについて、予め設定された所定回数とあるのは、その送信先に何度かデータを送信したことがあって、その都度タイムアウトエラーが発生している場合において、送達確認「有り」の設定を解除するまでの、タイムアウトエラーの発生する回数の限度のことをいい、所定回数タイムアウトエラーが発生すると、送達確認「有り」の設定を解除する。
【００９６】
ところで、送信側インターネットＦＡＸ装置が、ファクシミリ文書データを電子メールとして、受信側インターネットＦＡＸ装置に送信する後述の送信処理の前には、まず、送信開始処理を行う必要がある。
【００９７】
送信開始処理の一例について、図５に基づいて説明する。まず、読取部８に電子メールとして送信したい原稿をセットする（Ｓ５１・Ｓ５２）。
【００９８】
制御用メモリ３に記憶されている相手先情報を用いる場合（Ｓ５３でYES）、相手先情報として登録されている送信先の短縮番号を、キー押下入力あるいはワンタッチキー入力する（Ｓ５４）。この相手先情報の例については後述する。
【００９９】
ここで、短縮番号のキー押下入力とは、例えば制御用メモリ３において送信先が短縮番号「００９」に設定されている場合、図７に示す操作部１００のテンキー１０２…のうち、「０」・「０」・「９」を順に押下することにより、「００９」を入力することをいう。
【０１００】
また、ワンタッチキー入力とは、図７に示す表示部１０１のタッチパネルに表示された数字の「０」・「０」・「９」を順に直接触ることにより、「００９」を入力することをいう。
【０１０１】
次に、ユーザーが図７に示すスタートキー１０４を押すと（Ｓ６１）、読取部８においてセットされている原稿の読取が開始される（Ｓ６２）。そして、原稿の読み取りが終了すると、送信開始処理を終了する（Ｓ６３）。
【０１０２】
一方、相手先情報を用いない場合（Ｓ５３でNO）、送信先の電子メールアドレス（E−mailアドレス）を、例えば図７に示す表示部１０１のタッチパネルから直接入力する（Ｓ５５）。
【０１０３】
そして、ＴＩＦＦやＰＤＦなど送信する原稿のファイル形式（ファイルフォーマット）、および、ＭＨやＭＭＲなど圧縮形式を入力する（Ｓ５６）。
【０１０４】
ここで、送達確認を「無し」に設定する場合（Ｓ５７でNO）、その後、スタートキー１０４を押す（Ｓ６１）。
【０１０５】
一方、送達確認を「有り」に設定する場合（Ｓ５７でYES、Ｓ５８）、上述したタイムアウト時間（送達確認待ち時間）を入力する（Ｓ５９）。そして、受信側インターネットＦＡＸ装置が電子メールを受信できなかったとの応答があった場合の再送処理の回数（所定回数）を入力して（Ｓ６０）、スタートキー１０４を押す（Ｓ６１）。
【０１０６】
ここで、上述した送信先の電子メールアドレス、送達確認の要否、タイムアウト時間、および再送処理の回数（電子メール送信に必要な情報、送信情報）を、タッチパネルから直接入力（ワンタッチキー入力）する場合の入力画面の一例を、図９（ａ）〜（ｅ）に基づいて説明する。
【０１０７】
まず、Ｓ５５においては、図９（ａ）に示す入力画面の「アドレス入力」キーを触る。次に図９（ｂ）に示す入力画面において「インターネットＦＡＸアドレス」キーを触る。
【０１０８】
そして、図９（ｃ）に示す入力画面が表示されると、アルファベットキーなどを触ることにより、送信先の電子メールアドレスを入力する。
【０１０９】
続いて、電子メールアドレスの入力後、送達確認を「無し」に設定する場合は、「ＯＫ」キーを触り、この入力を終了する。
【０１１０】
一方、電子メールアドレスの入力後、送達確認を「有り」に設定する場合は、図９（ｃ）に示す入力画面の「送達確認要求する」キーに触れることにより、送達確認を「有り」に設定することができる。
【０１１１】
また、図９（ｃ）に示す入力画面の「送達確認待ちタイムアウト時間」キーに触れると、図９（ｄ）に示す入力画面が現れ、Ｓ５９においてタイムアウト時間を１〜２４０時間の中から設定することができる。
【０１１２】
さらに、図９（ｃ）に示す入力画面の「送達エラー受信時の再送信回数」キーに触れると、図９（ｅ）に示す入力画面が現れ、Ｓ６０において再送処理の回数を０〜１５回の中から設定することができる。
【０１１３】
図９（ｄ）（ｅ）に示す表示画面において、それぞれ設定が終了したら、入力画面右上にある「ＯＫ」キーに触れ、その入力を終了する。
【０１１４】
また、上述した送信先の電子メールアドレス、原稿のファイル形式・圧縮形式、送達確認の要否、タイムアウト時間、および再送処理の回数（送信情報）が、相手先情報として登録されている場合、それらの情報は、制御用メモリ３に例えば、図８に示すように記憶されることとなる。
【０１１５】
図８に示すように、短縮番号「００１」・「００２」…には、それぞれ、相手先が割り当てられており、各短縮番号に対応して相手先名およびその電子メールアドレス（E−mailアドレス）が登録される。
【０１１６】
また、それぞれの短縮番号に対応して、ＴＩＦＦやＰＤＦなど原稿のファイル形式（ファイルフォーマット）、ＭＨやＭＭＲなどの圧縮形式、送達確認の要否（送達確認の設定の「有り」／「無し」）、タイムアウト時間（送達確認待ち時間）、および再送処理の回数（送達エラー受信時の再送回数）を登録することができる。
【０１１７】
なお、ここでは、タイムアウト時間については１〜２４０時間、再送処理の回数については０〜１５回まで登録できるようになっている。
【０１１８】
このような相手先情報を、ワンタッチキー入力によって登録する場合の、相手先情報登録画面（パネル制御部２）の一例を、図１０（ａ）〜（ｃ）、図１２（ａ）〜（ｆ）に基づいて説明する。ここでは、短縮番号「００１」について説明する。
【０１１９】
図１０（ａ）に示す登録画面において、「インターネットＦＡＸ」キーを選択する。そして、相手先名およびそれを後に検索する際に用いる検索文字について登録する。ここで、相手先名を入力するときの入力画面を図１２（ａ）に、検索文字を入力するときの入力画面を図１２（ｂ）に示す。
【０１２０】
さらに、図１０（ａ）に示す登録画面において、「インデックス」キーを選択すると、図１２（ｃ）に示す入力画面が開き、登録する相手先のインデックス名を選択することができる。ここでは、６つのインデックス（ユーザー１〜６）に分けて相手先を登録するようになっている。また、頻繁に使用（送受信）する相手先は、「得意先」のインデックスにも登録できるようになっている。
【０１２１】
また、図１０（ａ）に示す登録画面において、「アドレス」キーを選択すると、図１２（ｄ）に示す入力画面が開き、登録する相手先の電子メールアドレスを入力することができ、「キー名称」キーを選択すると、図１２（ｅ）に示す入力画面が開き、登録する相手先のキー名称を入力することができる。
【０１２２】
図１０（ａ）に示す登録画面において、「圧縮形式」キーを選択すると、図１２（ｆ）に示す入力画面が開き、登録する相手先へ送信する電子メールの圧縮形式を入力することができる。ここでは、ＭＨ形式を選択している。
【０１２３】
さらに、図１０（ａ）に示す登録画面において、「送達確認要求する」キーに触れることにより、送達確認を「有り」に設定することができる。また、図１０（ａ）に示す入力画面の「送達確認待ちタイムアウト時間」キーに触れると、図１０（ｂ）に示す入力画面が現れ、タイムアウト時間を１〜２４０時間の中から設定することができる。また、図１０（ａ）に示す入力画面の「送達エラー受信時の再送回数」キーに触れると、図１０（ｃ）に示す入力画面が現れ、再送処理の回数を０〜１５回の中から設定することができる。
【０１２４】
ここで、相手先情報の登録の一例について図６に示すフローチャートに基づいて説明する。
【０１２５】
まず、「ユーザー設定」キーを押す（Ｓ７１）し、その後、「相手先登録キー」を選択し（触れ）て（Ｓ７２）、さらに、「短縮番号」キーを選択する（Ｓ７３）。これにより、上述したような登録画面を開くことができる。
【０１２６】
次に、送信手段（用いる機能）、即ち、ここではインターネットＦＡＸを入力する（Ｓ７４）。そして、送信先名（相手先名）をキー入力し（Ｓ７５）、登録する「短縮番号」を選択する（Ｓ７６）。
【０１２７】
続いて、送信先の電子メールアドレスを入力し（Ｓ７７）、原稿のファイル形式・圧縮形式を入力する（Ｓ７８）。
【０１２８】
その後、送達確認の設定を「無し」とする場合は（Ｓ７９でNO）、そのまま登録の終了を選択し（Ｓ８５）、短縮番号の登録を終了する。
【０１２９】
一方、送達確認の設定を「有り」とする場合は（Ｓ７９でYES）、「送達確認要求する」を選択する（Ｓ８０）。
【０１３０】
そして、「送達確認待ち時間」を選択して（Ｓ８１）、タイムアウト時間を入力する（Ｓ８２）。また、「送達エラー受信時の再送回数」を選択して（Ｓ８３）、再送回数を入力した（Ｓ８４）後、登録の終了を選択し（Ｓ８５）、短縮番号の登録を終了する。
【０１３１】
また、以下に、ジョブ状況表示画面について、図１１（ａ）〜（ｄ）に基づいて説明する。ジョブステータス表示キー１０６（図７参照）を押すことにより、現在のジョブ状況が表示部１０１（図７参照）の画面に表示される。
【０１３２】
従来のジョブ状況表示画面においては、ＭＤＮ機能の有無にかかわらず、電子メールの送信中であるか、待機中であるかのジョブ状況について表示するだけであった。
【０１３３】
これに対して、本ファクシミリ／電子メール装置のジョブ状況表示画面においては、送達確認のジョブの通信状況（ジョブ状況）に応じて、表示内容が変化する。これにより、ユーザーに、送達確認の通信状況（ＭＤＮ機能におけるジョブ状況）を告知することができる。
【０１３４】
例えば、図１１（ａ）に示すジョブ状況表示画面では、短縮番号「００１」に対応する送信先にはデータ（電子メール）送信中であり、短縮番号「００２」に対応する送信先にはデータを２回送信した後、送達確認の受信を待機（確認待）中であり、短縮番号「００３」に対応する送信先にはデータを１回送信した後、送達確認の受信を待機（確認待）中である。
【０１３５】
ここで、図中「送信済確認待２」などが示す数字は、あるデータを送信した回数を示す。従って、２回再送処理を行えば、同じデータは３回送信されたことになるので、「送信済確認待３」と表示される。
【０１３６】
また、送達確認の設定を「無し」に設定した場合は、送信が行われた後確認待ちはしないため、送信後は「送信ＯＫ」とのみ表示される。
【０１３７】
ここで、例えば、短縮番号「００１」に対応する送信先についての相手先情報として、１回再送を行うことで送信することができた場合における、そのジョブ状況表示画面について説明する。なお、ここでは送達確認の設定は「有り」に、再送回数は１回に登録されている。
【０１３８】
まず、ネットワークに接続して、送信先にデータの送信処理を開始する。このときのジョブ状況表示画面は図１１（ａ）に示す通りである。
【０１３９】
その後、送達確認が送信先から送信されるのを待機するが、その間のジョブ状況表示画面には、図１１（ｂ）に示すように「送信済確認待１」が表示される。
【０１４０】
そして、送信先より、受信の結果がエラーであるとの送達確認応答を受信した場合には、再送処理を行い、再び、送達確認が送信先から送信されるのを待つ。このときのジョブ状況表示画面には、図１１（ｃ）に示すように「送信済確認待２」が表示される。
【０１４１】
この再送処理によってデータ送信ができたとの送達確認応答を受信した場合、送信処理は完了する。このときのジョブ状況表示画面には、図１１（ｄ）に示すように「送信ＯＫ」が表示される。
【０１４２】
なお、送信済確認待の数字のカウントの方法は、上記のように数字を順に増やしていく方法に限定されるものではない。例えば、上記と同様に再送回数が１回に登録されている場合、「送信済確認待２」・「送信済確認待１」の順に表示するような、数字を順に減らしていく方法でもかまわない。
【０１４３】
また、送信先にはまだデータを送信しておらず、例えば短縮番号「００１」に対応する送信先にデータを送信した後に送信される予定（送信処理の待機中）のものがある場合は、ジョブ状況表示画面に「待機中」と表示してもよい。
【０１４４】
以上のように、本ファクシミリ／電子メール装置（ネットワーク通信装置）は、ネットワークを介してデータの送受信を行うネットワークファクシミリ装置としての機能を有する。そのネットワークファクシミリ装置として本ファクシミリ／電子メール装置が機能する場合、ネットワークを介したデータの送信終了後に、送信先にファクシミリ文書データ（データ）が送達されたか否かを、送信先から送達確認応答を受信することにより確認する送達確認応答機能（ＭＤＮ機能）を有する。
【０１４５】
上記ファクシミリ文書データを電子メールとして送信する際には、その送信先に応じて、ＭＤＮによる送達確認応答の要否が設定可能である。
【０１４６】
通常、送達確認応答機能（ＭＤＮ機能）は、ネットワーク通信装置がネットワークを介して通信を行う上で最低限備えることが義務付けられている機能ではない。このため、送信先のネットワーク通信装置は、ＭＤＮ機能を備えているとは限らない。
【０１４７】
しかしながら、送信先に応じて送達確認の要否が設定可能であることにより、送信先のネットワーク通信装置がＭＤＮ機能を備えていない場合には、送達確認は不要であると設定する（送達確認の設定を「無し」とする）ことができる。
【０１４８】
これにより、無駄な送達確認待ち（送達確認応答待ち）や不達レポートの記録出力の防止を図ることができる。また、送信したデータが送信先に送達できているにもかかわらず、送信先にＭＤＮ機能がないためにデータが送信先に送達できなかったとして、同じデータの再送を防止することができる。
【０１４９】
また、上記送信情報として、送達確認応答の受信を待機する最大限の時間であるタイムアウト時間を含み、該タイムアウト時間が経過しても送達確認の受信がないときには、制御用メモリ３の相手先情報において、送信先への送達確認の応答の要求は不要であることを設定する。
【０１５０】
通常、タイムアウト時間が経過しても送達確認の受信がない場合、送信先がＭＤＮ機能を備えていない可能性が高い。
【０１５１】
そこで、タイムアウト時間が経過しても送達確認の受信がないときには、記憶手段において、制御用メモリ３の相手先情報において、送信先への送達確認の応答の要求は不要であると設定することにより、次回から、無駄な送達確認待ちの発生を防止することができる。
【０１５２】
なお、上述した本実施の形態においては、データの送信先（宛先）ごとに、送信先からの送達確認応答（送信先への送達確認応答の要求）の要否を設定するとしているが、これに限定されるものではなく、送達確認応答要求の設定画面において、例えば、データを送信するすべての送信先に、送達確認応答を要求するように設定することもできる。
【０１５３】
図１３（ａ）〜（ｃ）に、上記送達確認応答要求の設定画面（パネル制御部２）の一例について説明する。
【０１５４】
図１３（ａ）に示す画面の「特別機能」を選択すると、図１３（ｂ）に示す画面が開き、ここで「送達確認要求一括設定」を選択すると、図１３（ｃ）に示す設定画面が開く。
【０１５５】
この設定画面において、「すべての宛先に要求する」を選択する（触る）と、データを送信するすべての送信先に、送達確認応答を要求するように設定することができる。
【０１５６】
また、「すべての宛先に要求しない」を選択すると、データを送信するすべての送信先に、送達確認応答を要求しないように設定することができる。
【０１５７】
あるいは、「宛先毎の設定で要求する」を選択すると、上述したように、データを送信する送信先ごとに、送信先からの送達確認応答の要否を設定することができる。
【０１５８】
【発明の効果】
以上のように、本発明のネットワーク通信装置は、データ送信に用いるための、送信先についての送信情報を、データの送信時に入力する入力手段を備え、送信情報は、送達確認応答の要否についての情報を含む構成である
これにより、送達確認応答の要否を含んだ送信情報をデータ送信時に入力するため、送信先のネットワーク通信装置がＭＤＮ機能を備えていない場合には、送達確認応答の要求は不要であると入力することができる。
【０１５９】
従って、無駄な送達確認応答待ちや不達レポートの記録出力の防止を図ることができる。また、送信したデータが送信先に送達できているにもかかわらず、送信先にＭＤＮ機能がないためにデータが送信先に送達できなかったとして、同じデータの再送を防止することができるといった効果を奏する。
【０１６０】
また、本発明のネットワーク通信装置は、データ送信に用いるための、各送信先についての送信情報を記憶する記憶手段を備え、送信情報は、送達確認応答の要否についての情報を含む構成である。
【０１６１】
これにより、送信先のネットワーク通信装置がＭＤＮ機能を備えていない場合には、送達確認応答の要求は不要であると予め登録することができる。
【０１６２】
従って、無駄な送達確認応答待ちや不達レポートの記録出力の防止を図ることができる。また、送信したデータが送信先に送達できているにもかかわらず、送信先にＭＤＮ機能がないためにデータが送信先に送達できなかったとして、同じデータを再送することを防止することができる。
【０１６３】
また、記憶手段を備えていることにより、データを送信する度に送信情報を入力するユーザーの入力作業を軽減することができるといった効果を奏する。
【０１６４】
本発明のネットワーク通信装置は、送信情報が、送達確認応答の受信を待機する最大限の時間である送達確認待ち時間を含む構成である。
【０１６５】
これにより、送信先に応じて送達確認待ち時間（タイムアウト時間）を設定することができる。
【０１６６】
従って、送信先のメールサーバーとの接続状態に応じた送達確認待ち時間の設定が可能となり、送達確認待ち時間の設定を適切に行うことができるといった効果を奏する。
【０１６７】
本発明のネットワーク通信装置は、送信情報が、少なくとも、送信するデータのファイル形式または圧縮形式のいずれかを含む構成である。
【０１６８】
これにより、簡単にデータの送信を行うことができるといった効果を奏する。
【０１６９】
本発明のネットワーク通信装置は、記憶手段への送信情報の記憶が、送信先を示すアドレスまたは番号を、対応させる短縮番号に登録するときに行われる構成である。
【０１７０】
これにより、短縮番号登録と同時に記憶手段への送信情報の記憶を行うことができる。従って、予め送信情報を登録することができ、ユーザーの入力作業を軽減することができるといった効果を奏する。
【０１７１】
本発明のネットワーク通信装置は、送信情報が、送達確認応答の受信を待機する最大限の時間である送達確認待ち時間を含み、該送達確認待ち時間が経過しても送達確認応答の受信がないときには、記憶手段において、送信先への送達確認応答の要求は不要であることを設定する構成である。
【０１７２】
これにより、送達確認待ち時間が経過しても送達確認応答の受信がないときには、記憶手段において、送信先への送達確認応答の要求は不要であることを設定することができる。
【０１７３】
従って、次回から、無駄な送達確認応答待ちの発生を防止することができるといった効果を奏する。
【０１７４】
本発明のネットワーク通信装置は、送信情報が、送達確認応答の受信を待機する最大限の時間である送達確認待ち時間を含み、該送達確認待ち時間が経過しても送達確認応答の受信がないデータ送信が所定回数以上連続したときには、記憶手段において、送信先への送達確認応答の要求は不要であることを設定する構成である。
【０１７５】
これにより、送達確認待ち時間が経過しても送達確認応答の受信がないデータ送信が所定回数以上連続したときには、記憶手段において、送信先への送達確認応答の要求は不要であることを設定することができる。従って、次回から、無駄な送達確認応答待ちの発生を防止することができるといった効果を奏する。
【０１７６】
本発明のネットワーク通信装置は、送信先への送達確認応答の要求は不要であると、記憶手段において設定したことを、ユーザーに告知する告知手段を備える構成である。
【０１７７】
これにより、データが送達できていても、送達確認応答を受信することはないことを、ユーザーに知らせることができるといった効果を奏する。
【０１７８】
本発明のネットワーク通信装置は、送達確認応答において、送信されたデータが送信先端末で正常に受信できなかったとの応答があったとき、データの再送を行い、該再送回数は、記憶手段に登録可能である構成である。
【０１７９】
これにより、送信先に応じて、適切にデータの再送を行うことができるといった効果を奏する。
【０１８０】
本発明のネットワーク通信装置は、ネットワークを介してデータの送受信を行うネットワークファクシミリ装置としての機能を有し、上記データの送信するときに、送達確認応答要求が可能なネットワーク通信装置であって、送信先に応じて、上記送達確認応答要求の要否が設定可能である構成である。
【０１８１】
これにより、送信先のネットワーク通信装置がＭＤＮ機能を備えていない場合には、送達確認応答の要求は不要であると設定することができる。
【０１８２】
従って、無駄な送達確認応答待ちや不達レポートの記録出力の防止を図ることができる。また、送信したデータが送信先に送達できているにもかかわらず、送信先にＭＤＮ機能がないためにデータが送信先に送達できなかったとして、同じデータの再送を防止することができるといった効果を奏する。
【図面の簡単な説明】
【図１】本発明の実施の一形態に係るファクシミリ／電子メール装置の構成を示すブロック図である。
【図２】ファクシミリ／電子メール装置におけるインターネットＦＡＸ装置としての電子メールの送信処理の一例を示すフローチャートである。
【図３】上記送信処理における再送処理を示すフローチャートである。
【図４】応答がないままタイムアウト時間が経過した場合の送信処理の一部を示すフローチャートである。
【図５】送信開始処理の一例を示すフローチャートである。
【図６】相手先情報の登録処理を示すフローチャートである。
【図７】パネル制御部の構成を示す図であるである。
【図８】相手先情報の一例を示す図である。
【図９】（ａ）〜（ｅ）は、電子メール送信に必要な情報を、送信開始処理時においてタッチパネルから直接入力する場合の入力画面のフロー図である。
【図１０】（ａ）〜（ｃ）は、電子メール送信に必要な情報を、相手先情報を用いてワンタッチキー入力を行う場合の、登録画面のフロー図である。
【図１１】（ａ）〜（ｄ）は、ジョブ状況表示画面を示す図である。
【図１２】（ａ）〜（ｆ）は、相手先情報を入力するときの入力画面を示す図である。
【図１３】（ａ）〜（ｃ）は、送達確認応答要求の設定画面を示す図である。
【符号の説明】
１    メイン制御部
２    パネル制御部（入力手段、告知手段）
３    制御用メモリ（記憶手段）
６    再送回数カウント部
７    電子メール作成部
１２    ＬＡＮ制御部
１３    モデム
１４    網制御部
１５    送達確認送受信制御部
１６    時計部
１７    ジョブ管理部
１００  操作部（入力手段）
１０１  表示部（告知手段、入力手段）
１０２  テンキー
１０３  クリアキー
１０４  スタートキー
１０５  全解除キー
１０６  ジョブステータス表示キー
【図１】
0003745290.tif 000002
【図２】
0003745290.tif 000003
【図３】
0003745290.tif 000004
【図４】
0003745290.tif 000005
【図５】
0003745290.tif 000006
【図６】
0003745290.tif 000007
【図７】
0003745290.tif 000008
【図８】
0003745290.tif 000009
【図９】
0003745290.tif 000010
【図１０】
0003745290.tif 000011
【図１１】
0003745290.tif 000012
【図１２】
0003745290.tif 000013
【図１３】
0003745290.tif 000014